(57)【要約】【課題】開き戸等の扉体の有無に関係なく、また、扉体が設けられている開口部については、この扉体が開いていても、開口部を水が通過することを阻止させることができるようになる止水パネルを提供すること。【解決手段】止水パネル２０は、パネル本体２１の外縁部に防水シール部材２２が取り付けられたものであって、パネル本体２１の幅方向である左右方向の途中部には折り畳み部２７が設けられ、この折り畳み部２７で折り畳まれていた２個のパネル構成部材２１Ａ，２１Ｂを平面視で直線状態又は略直線状態に展開させることにより、パネル本体２１の下端面に取り付けられている防水シール部材２２Ｃを開口部となっている出入口４の下部に接触させて、パネル本体２１の左右端面に取り付けられている防水シール部材２２Ａ，２２Ｂを出入口４の左右の側部に圧接状態で当接可能となっている。【選択図】図３
2019120040.tif 000002
【特許請求の範囲】
【請求項１】
パネル本体と、このパネル本体の外縁部に取り付けられた外縁防水シール部材とを含んで構成されている止水パネルであって、
開口部の少なくとも一部を塞ぐために前記開口部に配置され、前記開口部の外側を形成している左右の側部と上下部のうち、少なくとも左右の側部と下部とに前記外縁防水シール部材が当接することにより、水が前記開口部を通過することを阻止する止水パネルにおいて、
前記外縁防水シール部材は、前記パネル本体の左右端面と上下端面のうち、少なくとも左右端面と下端面とに取り付けられ、前記パネル本体の幅方向となっている左右方向の途中部に、このパネル本体を前記左右方向に少なくとも２個のパネル構成部材に分割し、これらのパネル構成部材を折り畳み可能かつ平面視で直線状態又は略直線状態に展開可能とするための少なくとも１個の折り畳み部が設けられ、折り畳まれていた少なくとも前記２個のパネル構成部材を前記折り畳み部を中心に展開させることにより、前記パネル本体の前記下端面に取り付けられている前記外縁防水シール部材を前記開口部の前記下部に接触させて、前記パネル本体の前記左右端面に取り付けられている前記外縁防水シール部材を前記開口部の前記左右の側部に圧接状態で当接可能となっていることを特徴とする止水パネル。
【請求項２】
請求項１に記載の止水パネルにおいて、少なくとも前記２個のパネル構成部材のうち、少なくとも１個のパネル構成部材には、前記２個のパネル構成部材を前記折り畳み部を中心に展開させたときにこの折り畳み部の防水性を確保するための内縁防水シール部材が設けられていることを特徴とする止水パネル。
【請求項３】
請求項１又は２に記載の止水パネルにおいて、前記開口部は、室外と室内との境界部に配置されたドア枠の内側に形成されていて、開き戸により開閉される出入口であり、前記開口部の前記左右の側部と前記下部は、前記ドア枠の左右の側枠部材と下枠部材により形成され、前記パネル本体及び／又は前記外縁防水シール部材の室内側の面は、前記左右の側枠部材と前記下枠部材とに前記開き戸の全閉位置を規定するために設けられている戸当り部に、前記水の圧力が作用する室外側から当接可能となっていることを特徴する止水パネル。
【請求項４】
請求項３に記載の止水パネルにおいて、前記折り畳み部は少なくとも前記２個のパネル構成部材を前記室内側に折り畳み可能とするものであって、これらのパネル構成部材は、前記室外側には折り畳み不能となっていることを特徴とする止水パネル。
【請求項５】
請求項１〜４のいずれかに記載の止水パネルにおいて、前記パネル本体には、折り畳まれていた少なくとも前記２個のパネル構成部材を前記折り畳み部を中心に展開させたときにこれらのパネル構成部材を平面視で直線状態又は略直線状態に維持させるための直線状態維持手段が設けられていることを特徴とする止水パネル。
【請求項６】
請求項１〜５のいずれかに記載の止水パネルにおいて、少なくとも前記２個のパネル構成部材には、これらのパネル構成部材を前記折り畳み部を中心に手動で折り畳み操作及び展開操作するための手動操作部が設けられていることを特徴とする止水パネル。
【請求項７】
請求項６に記載の止水パネルにおいて、前記開口部は室外と室内との境界部に設けられ、前記手動操作部は、少なくとも前記２個のパネル構成部材の室外側の面と室内側の面とのうち、前記水の圧力が作用しない室内側の面に設けられていることを特徴とする止水パネル。
【請求項８】
請求項６又は７に記載の止水パネルにおいて、前記手動操作部は、前記パネル構成部材の厚さ方向の２つの面のうち、少なくとも前記２個のパネル構成部材が前記折り畳み部を中心に折り畳まれたときに互いに対面する面の側に設けられていることを特徴とする止水パネル。
【請求項９】
請求項８に記載の止水パネルにおいて、前記手動操作部における前記パネル構成部材の厚さ方向の外面の位置が、前記互いに対面する面と同一の位置又はこの面よりも前記パネル構成部材の厚さ方向内側の位置となっていることを特徴とする止水パネル。
【請求項１０】
請求項１〜９のいずれかに記載の止水パネルにおいて、前記開口部は出入口であり、この出入口の下端部からこの出入口の高さの途中までの上下寸法を有していることを特徴とする止水パネル。
【発明の詳細な説明】
【技術分野】
【０００１】
本発明は、大雨時や洪水発生時等において、例えば、出入口等の開口部を水が通過することを阻止するための止水パネルに係り、開き戸や引き戸等で開閉される出入口等の開口部に適用できるものである。
【背景技術】
【０００２】
大雨時や洪水発生時等において、開き戸により開閉される出入口から水が室内に流入することを防止するための止水パネルが下記の特許文献１に示されている。この止水パネルは、パネル本体と、このパネル本体の外縁部に取り付けられた外縁防水シール部材とを含んで構成されているものであって、開き戸により開閉される開口部となっているドア枠の内側の出入口の一部を塞ぐためにこの出入口の下側の部分に配置されるものとなっており、開き戸が閉じられることにより、外縁防水シール部材が、ドア枠の左右の側部と下部を形成している左右の側枠部材と下枠部材に設けられている戸当り部に開き戸の押圧力によって押圧され、これにより、出入口から水が室内に流入することを阻止できるようになっている。
【先行技術文献】
【特許文献】
【０００３】
【特許文献１】特開２０１４−２１８７９４号公報
【発明の概要】
【発明が解決しようとする課題】
【０００４】
特許文献１に示されている止水パネルは、パネル本体の外縁部に取り付けられた外縁防水シール部材が、閉じられた開き戸の押圧力によりドア枠の左右の側枠部材と下枠部材に設けられている戸当り部に押圧されるものになっているため、開き戸を開いているときには、止水パネルによって出入口から水が室内に流入することを阻止できず、また、開き戸が設けられていない開口部については、この開口部を水が通過することを阻止できない。
【０００５】
本発明の目的は、開き戸等の扉体の有無に関係なく、また、扉体が設けられている開口部については、この扉体が開いていても、開口部を水が通過することを阻止できるようになる止水パネルを提供するところにある。
【課題を解決するための手段】
【０００６】
本発明に係る止水パネルは、パネル本体と、このパネル本体の外縁部に取り付けられた外縁防水シール部材とを含んで構成されている止水パネルであって、開口部の少なくとも一部を塞ぐために前記開口部に配置され、前記開口部の外側を形成している左右の側部と上下部のうち、少なくとも左右の側部と下部とに前記外縁防水シール部材が当接することにより、水が前記開口部を通過することを阻止する止水パネルにおいて、前記外縁防水シール部材は、前記パネル本体の左右端面と上下端面のうち、少なくとも左右端面と下端面とに取り付けられ、前記パネル本体の幅方向となっている左右方向の途中部に、このパネル本体を前記左右方向に少なくとも２個のパネル構成部材に分割し、これらのパネル構成部材を折り畳み可能かつ平面視で直線状態又は略直線状態に展開可能とするための少なくとも１個の折り畳み部が設けられ、折り畳まれていた少なくとも前記２個のパネル構成部材を前記折り畳み部を中心に展開させることにより、前記パネル本体の前記下端面に取り付けられている前記外縁防水シール部材を前記開口部の前記下部に接触させて、前記パネル本体の前記左右端面に取り付けられている前記外縁防水シール部材を前記開口部の前記左右の側部に圧接状態で当接可能となっていることを特徴とするものである。
【０００７】
このように本発明に係る止水パネルでは、外縁防水シール部材が、パネル本体の左右端面と上下端面のうち、少なくとも左右端面と下端面とに取り付けられているとともに、パネル本体の幅方向となっている左右方向の途中部に、このパネル本体を左右方向に少なくとも２個のパネル構成部材に分割し、これらのパネル構成部材を折り畳み可能かつ平面視で直線状態又は略直線状態に展開可能とするための少なくとも１個の折り畳み部が設けられており、折り畳まれていた少なくとも２個のパネル構成部材を折り畳み部を中心に展開させることにより、パネル本体の下端面に取り付けられている外縁防水シール部材を開口部の下部に接触させて、パネル本体の左右端面に取り付けられている外縁防水シール部材を開口部の左右の側部に圧接状態で当接可能となっているため、パネル本体の下端面に取り付けられている外縁防水シール部材を開口部の下部に接触させて、パネル本体の左右端面に取り付けられている外縁防水シール部材を開口部の左右の側部に圧接状態で当接させることを、折り畳まれていた少なくとも２個のパネル構成部材を折り畳み部を中心に展開させることによって実現することができる。
【０００８】
このため、上述の圧接状態により、本発明に係る止水パネルを開口部に固定した状態で配置することができるため、開き戸等の扉体の有無に関係なく、また、扉体が設けられている開口部については、この扉体が開いていても、開口部を水が通過することを阻止できるようになる。
【０００９】
また、パネル本体が折り畳み部により折り畳み可能となっていることにより、本発明に係る止水パネルを開口部に配置していないときに、折り畳み部により折り畳むことができ、このため、本発明に係る止水パネルを小型化して収納等を有効に行える。
【００１０】
なお、上述のように、折り畳まれていた少なくとも２個のパネル構成部材を折り畳み部を中心に展開させることにより、パネル本体の左右端面に取り付けられている外縁防水シール部材を開口部の左右の側部に圧接状態で当接可能とすることは、少なくとも２個のパネル構成部材を折り畳み部を中心に展開させたときのパネル本体と自然時の外縁防水シール部材との合計の幅方向の寸法を、開口部の左右の側部の間の寸法よりも少し大きい寸法とし、これにより、少なくとも２個のパネル構成部材を折り畳み部を中心に展開させたときに、外縁防水シール部材を開口部の左右の側部からの押圧力で圧縮変形することにより実現できる。
【００１１】
また、本発明に係る止水パネルにおいて、パネル本体を左右方向に分割し、この分割によって生ずるパネル構成部材を折り畳み可能かつ平面視で直線状態又は略直線状態に展開可能とするための折り畳み部の個数は、１個でもよく、複数個でもよい。
【００１２】
また、以上の本発明において、少なくとも前記２個のパネル構成部材のうち、少なくとも１個のパネル構成部材には、２個のパネル構成部材を折り畳み部を中心に展開させたときにこの折り畳み部の防水性を確保するための内縁防水シール部材を設けることが好ましい。
【００１３】
これによると、開口部を水が通過することを阻止させるために、２個のパネル構成部材を折り畳み部を中心に展開させた止水パネルを開口部に配置したときに、折り畳み部についての防水性が内縁防水シール部材によって確保されるため、折り畳み部から水が漏れることを防止できる。
【００１４】
また、本発明に係る止水パネルは、出入口よりも室外側の箇所において、コンクリート等で形成されている開口部に配置することができ、また、本発明に係る止水パネルは、開き戸により開閉される出入口にも配置することができる。
【００１５】
本発明に係る止水パネルを開き戸により開閉される出入口に適用する場合には、言い換えると、開口部を、室外と室内との境界部に配置されたドア枠の内側に形成されていて、開き戸により開閉される出入口とする場合には、開口部の前記左右の側部と前記下部は、ドア枠の左右の側枠部材と下枠部材により形成されることになる。そして、この場合には、パネル本体及び／又は外縁防水シール部材の室内側の面を、左右の側枠部材と下枠部材とに開き戸の全閉位置を規定するために設けられている戸当り部に、水の圧力が作用する室外側から当接可能としてもよい。
【００１６】
これによると、止水パネルの室外側の面に水の圧力が作用すると、パネル本体及び／又は外縁防水シール部材の室内側の面が、ドア枠の左右の側枠部材と下枠部材とに開き戸の全閉位置を規定するために設けられている戸当り部に水の圧力で当接することになり、これにより、止水パネルが室内側に移動することをこれらの戸当り部によって防止することができる。
【００１７】
また、このように止水パネルの室外側の面に水の圧力が作用したときに、パネル本体及び／又は外縁防水シール部材の室内側の面が、ドア枠の左右の側枠部材と下枠部材とに開き戸の全閉位置を規定するために設けられている戸当り部に水の圧力で当接するようにする場合には、折り畳み部を、少なくとも２個のパネル構成部材を室内側に折り畳み可能とするものとし、これらのパネル構成部材を室外側には折り畳み不能とすることが好ましい。
【００１８】
これによると、止水パネルの室外側の面に作用する水の圧力によって止水パネルが室外側に折り畳まれることを防止できる。
【００１９】
また、以上の本発明に係る止水パネルにおいて、パネル本体には、折り畳まれていた少なくとも２個のパネル構成部材を折り畳み部を中心に展開させたときにこれらのパネル構成部材を平面視で直線状態又は略直線状態に維持させるための直線状態維持手段を設けることが好ましい。
【００２０】
これによると、折り畳まれていた少なくとも２個のパネル構成部材を折り畳み部を中心に展開させたときに、これらのパネル構成部材を直線状態維持手段により平面視で直線状態又は略直線状態に維持させることができるため、開口部を水が通過することを本発明に係る止水パネルによって一層有効に阻止できる。
【００２１】
なお、直線状態維持手段は、折り畳まれていた少なくとも２個のパネル構成部材を折り畳み部を中心に展開させたときに、これらのパネル構成部材を平面視で直線状態又は略直線状態に維持させることができるものであれば、任意な形式、構造のものでよく、例えば、かんぬき方式のものでもよく、あるいは、一方のパネル構成部材に回動自在に設けられたフック部材等の係止部材を他方のパネル構成に設けられた被係止部材に係止する係止構造のものでもよい。
【００２２】
また、折り畳み部により折り畳み可能となっている少なくとも２個のパネル構成部材には、これらのパネル構成部材を折り畳み部を中心に手動で折り畳み操作及び展開操作するための手動操作部を設けることが好ましい。
【００２３】
これによると、手動操作部により、少なくとも２個のパネル構成部材について折り畳み操作及び展開操作を手動により容易に行えるようになる。
【００２４】
このように折り畳み部を中心に折り畳み可能となっている少なくとも２個のパネル構成部材に、これらのパネル構成部材を折り畳み部を中心に手動で折り畳み操作及び展開操作するための手動操作部を設ける場合であって、止水パネルで少なくとも一部が塞がれる開口部が室外と室内との境界部に設けられている場合には、手動操作部を、少なくとも２個のパネル構成部材の室外側の面と室内側の面とのうち、水の圧力が作用しない室内側の面に設けることが好ましい。
【００２５】
これによると、手動操作部によって少なくとも２個のパネル構成部材を折り畳み操作及び展開操作することを、水の影響を受けない室内側において行えるため、これらの操作を容易に行える。
【００２６】
また、上述したように、折り畳み部により折り畳み可能となっている少なくとも２個のパネル構成部材に、これらのパネル構成部材を折り畳み部を中心に手動で折り畳み操作及び展開操作するための手動操作部を設ける場合には、これらの手動操作部を、パネル構成部材の厚さ方向の２つの面のうち、少なくとも２個のパネル構成部材が折り畳み部を中心に折り畳まれたときに互いに対面する面の側に設けることが好ましい。
【００２７】
これによると、手動操作部により少なくとも２個のパネル構成部材を折り畳み部を中心に手動で折り畳み操作することを容易に行える。
【００２８】
そして、このように手動操作部を、少なくとも２個のパネル構成部材が折り畳み部を中心に折り畳まれたときに互いに対面する面の側に設ける場合には、手動操作部におけるパネル構成部材の厚さ方向の外面の位置を、互いに対面する面と同一の位置又はこの面よりもパネル構成部材の厚さ方向内側の位置とすることが好ましい。
【００２９】
これによると、手動操作部は、パネル構成部材の厚さ方向の外面から突出していないため、本発明に係る止水パネルを収納等するために折り畳み部を中心に折り畳んだときに、少なくとも２個のパネル構成部材の厚さ方向の２つの面のうち、互いに対面する面同士を接触させて折り畳むことができるようになり、これにより、収納等を有効かつ容易に行えるようになる。
【００３０】
また、以上の本発明において、止水パネルは、開口部の全体を塞ぐものでもよく、あるいは、この開口部が出入口である場合には、止水パネルを、この出入口の下端部からこの出入口の高さの途中までの上下寸法を有するものとし、止水パネルにより塞がれる出入口の範囲を、この出入口の下側の部分だけとしてもよい。
【００３１】
後者によると、止水パネルにより出入口の下側の部分が塞がれているときでも、止水パネルの上を跨ぐことにより、出入口を通過することができるようになる。
【００３２】
以上説明した本発明に係る止水パネルは、任意の開口部に適用することができ、この開口部は、開き戸装置のドア枠の内側に設けられ、開き戸により開閉される出入口でもよく、あるいは、引き戸装置の引き戸により開閉される開口部でもよく、あるいは、常時通過可能となっている通行用開口部でもよい。また、本発明に係る止水パネルは、窓枠の内側に、非通行用として形成されている開口部にも適用することができる。
【発明の効果】
【００３３】
本発明によると、開き戸等の扉体の有無に関係なく、また、扉体が設けられている開口部については、この扉体が開いていても、開口部を水が通過することを阻止できるという効果を得られる。
【図面の簡単な説明】
【００３４】
【図１】図１は、本発明の一実施形態に係る止水パネルが適用される開き戸装置を示す正面図である。
【図２】図２は、図１の開き戸装置の開き戸を開いたときを示す正面図である。
【図３】図３は、図２のときに、止水パネルを開口部となっているドア枠の内側の出入口に配置した状態を示す正面図である。
【図４】図４は、止水パネルの全体を室内側から見た斜視図である。
【図５】図５は、止水パネルを室内側から見た背面図である。
【図６】図６は、図５のＳ６−Ｓ６線断面図である。
【図７】図７は、止水パネルが折り畳み部により２個のパネル構成部材に折り畳み可能であることを示す平面図である。
【図８】図８は、図３のＳ８−Ｓ８線断面図である。
【図９】図９は、図３のＳ９−Ｓ９線断面図である。
【図１０】図１０は、直線状態維持手段が設けられている止水パネルの実施形態を示す図５と同様の図である。
【図１１】図１１は、直線状態維持手段により止水パネルを平面視で直線状態又は略直線状態に維持させたときを示す図５と同様の図である。
【発明を実施するための形態】
【００３５】
以下に本発明を実施するための形態を図面に基づいて説明する。図１には、本発明の一実施形態に係る止水パネルが適用される開き戸装置の全体が示されている。この開き戸装置は、開き戸１をドア枠２にヒンジ３により開閉自在に取り付けたものであり、図２には、開き戸１を開けたときの状態が示されている。室外と室内との境界部になっている玄関等に配置されているドア枠２の内側の出入口４は、開き戸１により開閉される本実施形態における開口部であり、開き戸１を開けて出入口４を通過することにより、人は室外と室内との間を往復する。
【００３６】
ドア枠２は、図１及び図２に示されているように、左右の側枠部材５，６と、上下の上枠部材７及び下枠部材８とからなる四方枠であり、左右の側枠部材５，６は、上記開口部の左右の側部を形成する部材となっており、上下の上枠部材７と下枠部材８は、この開口部の上下部を形成する部材となっている。また、下枠部材８により、開口部である出入口４の下端部が形成されている。図２に示されているように、これらの左右の側枠部材５，６と、上下の上枠部材７及び下枠部材８には、閉じたときの開き戸１が当接することにより、この開き戸１の全閉位置を規定するための戸当り部５Ａ，６Ａ，７Ａ，８Ａが設けられ、また、閉じたときの開き戸１とドア枠２との間の気密性を確保するための気密部材９，１０，１１，１２も、これらの枠部材５，６，７，８に設けられている。なお、戸当り部５Ａ，６Ａ，７Ａ，８Ａと気密部材９，１０，１１，１２のうち、左右の側枠部材５，６と下枠部材８に設けられている戸当り部５Ａ，６Ａ，８Ａ及び気密部材９，１０，１２は、後述する図８と図９にも示されている。
【００３７】
図３には、開き戸１を開いているときに、出入口４の下側の部分を本実施形態の止水パネル２０により塞いでいる状態が示されている。この止水パネル２０は、左右方向の幅寸法が、ドア枠２を形成するために互いに対向して配置された左右の側枠部材５，６の間隔と対応する寸法となっていて、上下の高さ寸法が開き戸１の高さ寸法よりも小さくて、ドア枠２の下端部からこのドア枠２の高さの途中までの寸法となっているものである。
【００３８】
図４には、止水パネル２０を室内側から見た斜視図が示されており、図５は、この止水パネル２０の室内側を示す背面図である。止水パネル２０は、パネル本体２１と、このパネル本体２１の外縁部に取り付けられた外縁防水シール部材２２とを含んで構成されている。そして、外縁防水シール部材２２は、パネル本体２１の左右端面と上下端面のうち、左右端面２３，２４に取り付けられた側部外縁防水シール部材２２Ａ，２２Ｂと、下端面２５に取り付けられた下部外縁防水シール部材２２Ｃとからなる。パネル本体２１には、左右方向となっている幅方向の中央部において、上下複数個のヒンジ２６による折り畳み部２７が設けられ、この折り畳み部２７により、パネル本体２１は、左右２個のパネル構成部材２１Ａ，２１Ｂに分割されているとともに、これらのパネル構成部材２１Ａ，２１Ｂは、図７に示されているように、ヒンジ２６による折り畳み部２７を中心に折り畳み可能となっているとともに、平面視で直線状態又は略直線状態に展開可能ともなっている。
【００３９】
図４及び図５に示されているように、パネル本体２１の下端面２５に取り付けられている下部外縁防水シール部材２２Ｃは、２個のパネル構成部材２１Ａ，２１Ｂごとに分割された分割下部外縁防水シール部材２２Ｄと分割下部外縁防水シール部材２２Ｅとからなる。また、パネル本体２１の折り畳み部２７には、内縁防水シール部材２８が設けられ、この内縁防水シール部材２８は、本実施形態では、２個のパネル構成部材２１Ａ，２１Ｂのうち、一方のパネル構成部材２１Ａにおける他方のパネル構成部材２１Ｂと対面する端面２９に取り付けられているとともに、内縁防水シール部材２８は、パネル構成部材２１Ａの分割下部外縁防水シール部材２２Ｄの上面まで達しており、このため、この分割下部外縁防水シール部材２２Ｄは、内縁防水シール部材２８の左右方向の幅寸法を含む左右方向の長さ寸法を有するものとなっている。
【００４０】
このため、図７から分かるように、パネル本体２１を折り畳み部２７により２個のパネル構成部材２１Ａ，２１Ｂに折り畳むことは、内縁防水シール部材２８とパネル構成部材２１Ｂとの間、及び分割下部外縁防水シール部材２２Ｄと分割下部外縁防水シール部材２２Ｅとの間を分割した状態で行われる。
【００４１】
また、折り畳み部２７を形成するためにパネル本体２１に設けられている前述のヒンジ２６は、図４に示されているように、パネル本体２１の室外側の面Ａと室内側の面Ｂとのうち、室内側の面Ｂに取り付けられている。このため、図７に示されているように、ヒンジ２６によるパネル本体２１の折り畳み部２７は、２個のパネル構成部材２１Ａ，２１Ｂを室内側に折り畳み可能とするものであり、これらのパネル構成部材２１Ａ，２１Ｂは室外側には折り畳み不能となっている。
【００４２】
パネル本体２１の室内側の面Ｂは、図４及び図５に示されている２個のパネル構成部材２１Ａ，２１Ｂの室内側の面Ｂ１，Ｂ２でもあり、これらの室内側の面Ｂ１，Ｂ２には、パネル構成部材２１Ａ，２１Ｂの厚さ方向に窪んだ窪み部３０が形成されている。図６は図５のＳ６−Ｓ６線断面図であり、この図６から分かるように、パネル構成部材２１Ａ，２１Ｂの室内側の面Ｂ１，Ｂ２に手動操作部３１を設けるために、窪み部３０は、手動操作部３１を残して奥側が上方へ延出したものとなっている。このため、それぞれの手動操作部３１におけるパネル構成部材２１Ａ，２１Ｂの厚さ方向の外面の位置は、室内側の面Ｂ１，Ｂ２と同一の位置となっているとともに、これらの手動操作部３１は、垂下した部分としてパネル構成部材２１Ａ，２１Ｂに設けられている。
【００４３】
なお、それぞれの手動操作部３１におけるパネル構成部材２１Ａ，２１Ｂの厚さ方向の外面を切削することにより、これらの手動操作部３１におけるパネル構成部材２１Ａ，２１Ｂの厚さ方向の外面の位置を、室内側の面Ｂ１，Ｂ２よりもパネル構成部材２１Ａ，２１Ｂの厚さ方向内側の位置としてもよい。
【００４４】
以上により、パネル構成部材２１Ａ，２１Ｂの室内側の面Ｂ１，Ｂ２に手動操作部３１が設けられていることになり、これらの室内側の面Ｂ１，Ｂ２は、パネル本体２１を折り畳み部２７を中心に折り畳んだときに、パネル構成部材２１Ａ，２１Ｂの互いに対面する面となっているため、それぞれの手動操作部３１は、パネル構成部材２１Ａ，２１Ｂの互いに対面する面に設けられていることになる。
【００４５】
また、パネル構成部材２１Ａ，２１Ｂの室内側の面Ｂ１，Ｂ２に設けられているそれぞれの窪み部３０に両手を差し入れて、それぞれの手動操作部３１を指で握ることにより、図７に示されているように、平面視で直線状態又は略直線状態に展開されていたパネル本体２１を折り畳み部２７を中心に手動操作により２個のパネル構成部材２１Ａ，２１Ｂに折り畳むことができ、また、折り畳まれていた２個のパネル構成部材２１Ａ，２１Ｂを折り畳み部２７を中心に手動操作により展開して、これらのパネル構成部材２１Ａ，２１Ｂを、平面視で直線状態又は略直線状態となったパネル本体２１とすることも可能となっている。
【００４６】
前述した外縁防水シール部材２２と内縁防水シール部材２８は、防水性と圧縮性を有する材料、例えば、ＥＰＤＭ（エチレンプロピレンゴム）やＣＲ（クロロプレンゴム）等で形成されている。そして、外縁防水シール部材２２のうち、前述した側部外縁防水シール部材２２Ａ，２２Ｂの左右方向の寸法を含む止水パネル２０全体の左右方向の幅寸法Ｌ１（図５を参照）は、これらの側部外縁防水シール部材２２Ａ，２２Ｂが圧縮されていない自然時において、後述する図９に示されているドア枠２の左右の側枠部材５，６の間における止水パネル２０の配置箇所での左右寸法Ｌ２よりも少し大きくなっている。
【００４７】
図３に示されているように、止水パネル２０をドア枠２の内側の開口部となっている出入口４に配置するときには、出入口４から開き戸１を開き、次いで、止水パネル２０の２個のパネル構成部材２１Ａ，２１Ｂを折り畳み部２７を中心に少し開いた状態にして、これらのパネル構成部材２１Ａ，２１Ｂの手動操作部３１に指を掛けた人が、出入口４で室外と区画されている室内において、室外側に向けたパネル構成部材２１Ａ，２１Ｂを手動操作部３１に掛けた指の操作により折り畳み部２７を中心に展開させる。これにより、図３のＳ９−Ｓ９線断面図である図９に示されているように、パネル本体２１の左右端面２３，２４に取り付けられている側部外縁防水シール部材２２Ａ，２２Ｂを、ドア枠２の左右の側部を形成している左右の側枠部材５，６に当接させ、また、図３のＳ８−Ｓ８線断面図である図８に示されているように、折り畳み部２７を中心に展開させたパネル構成部材２１Ａ，２１Ｂにより平面視で直線状態又は略直線状態となったパネル本体２１の下端面２５に取り付けられている下部外縁防水シール部材２２Ｃを、ドア枠２の下部を形成している下枠部材８に接触させる。
【００４８】
このようにパネル構成部材２１Ａ，２１Ｂを、手動操作部３１に掛けた指の操作により、折り畳み部２７を中心に展開させ、これにより、パネル本体２１の左右端面２３，２４に取り付けられている側部外縁防水シール部材２２Ａ，２２Ｂを、ドア枠２の左右の側部を形成している左右の側枠部材５，６に当接させたときには、前述したように、側部外縁防水シール部材２２Ａ，２２Ｂの左右方向の寸法を含む止水パネル２０全体の左右方向の幅寸法Ｌ１が、側部外縁防水シール部材２２Ａ，２２Ｂが圧縮されていない自然時において、ドア枠２の左右の側枠部材５，６の間における止水パネル２０の配置箇所での左右寸法Ｌ２よりも少し大きくなっているため、側部外縁防水シール部材２２Ａ，２２Ｂは、左右の側枠部材５，６からの押圧力によって圧縮変形してこれらの側枠部材５，６に当接することになる。このため、側部外縁防水シール部材２２Ａ，２２Ｂは、左右の側枠部材５，６に圧接状態で当接することになる。
【００４９】
この圧接状態により、開き戸１が出入口４を開いているときに、この出入口４の下側の部分に、止水パネル２０を固定した状態で配置することができ、このため、大雨や洪水発生時等による水が出入口４を通過して室内に流入することを阻止できる。
【００５０】
このため、本実施形態に係る止水パネル２０は、開き戸等の扉体の有無に関係なく、また、扉体が設けられている開口部については、この扉体が開いていても、開口部を水が通過することを阻止させるために用いることができる。
【００５１】
なお、側部外縁防水シール部材２２Ａ，２２Ｂを左右の側枠部材５，６に圧縮変形させて当接させる際に、パネル本体２１の下端面に取り付けられている下部外縁防水シール部材２２Ｃを下枠部材８に上からの押圧力で押圧することにより、下部外縁防水シール部材２２Ｃによる防水効果を一層確実に確保できるようにする。
【００５２】
また、折り畳み部２７を中心にパネル構成部材２１Ａ，２１Ｂを展開させて平面視で直線状態又は略直線状態となったパネル本体２１を形成したときには、このパネル本体２１の折り畳み部２７に配置されている内縁防水シール部材２８は、パネル構成部材２１Ａ，２１Ｂからの押圧力により圧縮変形するため、この折り畳み部２７についての防水性も確保することができる。
【００５３】
また、側部外縁防水シール部材２２Ａ，２２Ｂを左右の側枠部材５，６に圧縮変形させて当接させたときには、図８及び図９に示されているように、側部外縁防水シール部材２２Ａ，２２Ｂと下部外縁防水シール部材２２Ｃの室内側の面を、ドア枠２の側枠部材５，６と下枠部材８とに開き戸１の全閉位置を規定するために設けられている前述の戸当り部５Ａ，６Ａ，８Ａに、大雨や洪水発生時等において水の圧力が作用する室外側から当接させる。
【００５４】
これによると、水の圧力により止水パネル２０が室内側へ移動してしまうことを、戸当り部５Ａ，６Ａ，８Ａによって防止でき、また、止水パネル２０が折り畳み部２７において室内側に屈曲することも、戸当り部８Ａで抑制することができる。
【００５５】
また、前述したように、２個のパネル構成部材２１Ａ，２１Ｂは、折り畳み部２７により室内側には折り畳み可能となっているが、室外側には折り畳み不能となっているため、止水パネル２０の室外側の面に作用する大雨や洪水等による水の圧力により、２個のパネル構成部材２１Ａ，２１Ｂが折り畳み部２７を中心に室外側に折り畳まれることを防止できる。
【００５６】
なお、図８及び図９では、側部外縁防水シール部材２２Ａ，２２Ｂと下部外縁防水シール部材２２Ｃの室内側の面が戸当り部５Ａ，６Ａ，８Ａに当接しているが、これらの防水シール部材２２Ａ，２２Ｂ，２２Ｃの寸法設定により、パネル本体２１の室内側の面Ｂを戸当り部５Ａ，６Ａ，８Ａに当接させてもよく、側部外縁防水シール部材２２Ａ，２２Ｂと下部外縁防水シール部材２２Ｃの室内側の面と、パネル本体２１の室内側の面Ｂとの両方を戸当り部５Ａ，６Ａ，８Ａに当接させてもよい。
【００５７】
さらに、本実施形態の止水パネル２０には、この止水パネル２０のパネル本体２１を折り畳み部２７を中心に２個のパネル構成部材２１Ａ，２１Ｂに手動で折り畳み、これらのパネル構成部材２１Ａ，２１Ｂを折り畳み部２７により手動で展開させて、平面視で直線状態又は略直線状態となったパネル本体２１を形成するために手動操作部３１が設けられているため、これらの折り畳み操作と展開操作を手動操作部３１により容易に行える。
【００５８】
また、２個のパネル構成部材２１Ａ，２１Ｂごとに設けられている手動操作部３１は、パネル構成部材２１Ａ，２１Ｂの厚さ方向の２つの面となっている室外側の面Ａと室内側の面Ｂとのうち、大雨や洪水発生時等における水に影響を受けない室内側の面Ｂに設けられているため、手動操作部３１による上述の折り畳み操作と展開操作とを水に影響されずに一層容易に行える。
【００５９】
さらに、それぞれの手動操作部３１は、手動操作部３１におけるパネル構成部材２１Ａ，２１Ｂの厚さ方向の外面の位置が、パネル構成部材２１Ａ，２１Ｂが折り畳み部２７により折り畳まれたときに互いに対面する面となっているパネル構成部材２１Ａ，２１Ｂの室内側の面Ｂと同一の位置、又はこの面Ｂよりもパネル構成部材２１Ａ，２１Ｂの厚さ方向内側の位置となってパネル構成部材２１Ａ，２１Ｂに設けられているため、大雨や洪水等が解消したときに、２個のパネル構成部材２１Ａ，２１Ｂを、これらのパネル構成部材２１Ａ，２１Ｂの室内側の面Ｂ同士を接触させて折り畳むことができ、これにより、止水パネル２０全体を小型化して収納等することができる。
【００６０】
また、止水パネル２０は、出入口４の下端部からこの出入口４の高さの途中までの上下寸法を有していて、出入口４の下側の部分を塞ぐものとなっているため、大雨や洪水発生時等において、出入口４に止水パネル２０を配置しても、止水パネル２０の上を跨ぐことにより、出入口４を通過することができる。
【００６１】
図１０には、別実施形態の止水パネル２０’が示されている。この止水パネル２０’には、２個のパネル構成部材２１Ａ，２１Ｂを折り畳み部２７を中心に展開させて、パネル本体２１を平面視で直線状態又は略直線状態にしたときに、この状態を維持できるようにするための直線状態維持手段４０が設けられている。２個のパネル構成部材２１Ａ，２１Ｂに跨る構成となっているこの直線状態維持手段４０は、パネル本体２１の上下複数個設けられている。
【００６２】
それぞれの直線状態維持手段４０は、パネル構成部材２１Ｂの室内側の面Ｂ２に形成された窪み部４１の内部に左右方向に複数個が配置されている支持部材４２と、これらの支持部材４２に形成された貫通孔４２Ａに左右方向に挿通されたかんぬき棒部材４３と、２個のパネル構成部材２１Ａ，２１Ｂを折り畳み部２７を中心に展開させたときに、互いに連通状態となる孔になり、パネル構成部材２１Ａ，２１Ｂと内縁防水シール部材２８との内部に設けられている連通孔４４と、パネル構成部材２１Ａの室内側の面Ｂ１に形成された窪み部４５の内部に左右方向に複数個が配置されている支持部材４６とを有するものになっており、これらの支持部材４６には、連通孔４４を通過してパネル構成部材２１Ｂに達したかんぬき棒部材４３の一部を挿通させることができる貫通孔４６Ａが設けられている。
【００６３】
このため、室内に居る人が、パネル構成部材２１Ｂの窪み部４１に全体が配置されていたかんぬき棒部材４３をパネル構成部材２１Ａ側へスライド移動させることにより、図１１に示されているように、このかんぬき棒材４３の後部を、パネル構成部材２１Ｂの支持部材４２の貫通孔４２Ａに挿入した状態を保持して、かんぬき棒部材４３の先部を、パネル構成部材２１Ａの支持部材４６の貫通孔４６Ａに挿入させる。
【００６４】
これにより、かんぬき棒部材４３は２個のパネル構成部材２１Ａ，２１Ｂに跨って配置され、このため、それぞれの直線状態維持手段４０ごとに設けられているかんぬき棒部材４３の強度により、パネル本体２１を平面視で直線状態又は略直線状態に維持できることになる。
【００６５】
このため、この実施形態の止水パネル２０’によると、出入口４の下側の部分に配置された止水パネル２０’は、大きな強度により平面視で直線状態又は略直線状態に維持された構造となっているため、止水パネル２０’の室外側の面に大雨や洪水等による水が作用しても、止水パネル２０’が、折り畳み部２７において、室外側や室内側に屈曲することを直線状態維持手段４０により防止することができる。
【産業上の利用可能性】
【００６６】
本発明は、大雨時や洪水発生時等において、例えば、開き戸や引き戸等で開閉される出入口等の開口部を水が通過することを阻止するために利用できる。
【符号の説明】
【００６７】
１  開き戸
２  ドア枠
４  開口部である出入口
５，６  開口部の左右の側部を形成しているドア枠の左右の側枠部材
５Ａ，６Ａ  戸当り部
８  開口部の下部を形成しているドア枠の下枠部材
８Ａ  戸当り部
２０，２０’  止水パネル
２１  パネル本体
２１Ａ，２１Ｂ  パネル構成部材
２２，２２Ａ，２２Ｂ，２２Ｃ，２２Ｄ，２２Ｅ  外縁防水シール部材
２３，２４  パネル本体の左右端面
２５  パネル本体の下端面
２６  ヒンジ
２７  折り畳み部
２８  内縁防水シール部材
３０  窪み部
３１  手動操作部
４０  直線状態維持手段
４３  かんぬき棒部材
Ａ  室外側の面
Ｂ，Ｂ１，Ｂ２  室内側の面
【図１】
2019120040.tif 000003
【図２】
2019120040.tif 000004
【図３】
2019120040.tif 000005
【図４】
2019120040.tif 000006
【図５】
2019120040.tif 000007
【図６】
2019120040.tif 000008
【図７】
2019120040.tif 000009
【図８】
2019120040.tif 000010
【図９】
2019120040.tif 000011
【図１０】
2019120040.tif 000012
【図１１】
2019120040.tif 000013